(57)【要約】【課題】熱源の温められた空気を上方向に効率よく放散させることができ、また放熱用フィン相互間に生じた複数方向の通気路により通気性の効率向上を図る。【解決手段】中央が所定の角度に円弧状に屈曲した複数の板体の各面を横向きに順次並置して成る少なくとも３つの放熱用フィン群２１Ａ，２１Ｂ，２１Ｃを、熱源２を収容したケース体４の背面部１０に配列形成してヒートシンク部２１と成す。放熱用フィン群２１Ａ，２１Ｂ，２１Ｃが、互いの円弧凸面側を相対向するよう背面部１０に対称配置することで当該ヒートシンク部２１に対し例えば１２０°間隔に配して少なくとも３方向に熱源２からの発熱を放散可能とする。放熱用フィン群２１Ａ，２１Ｂ，２１Ｃの相互間には、ヒートシンク部２１の中心に連続するよう配設形成した通気路Ｌ１，Ｌ２，Ｌ３と、放熱用フィン群２１Ａ，２１Ｂ，２１Ｃそれぞれの板体の隙間とで熱気を通過させる。【選択図】図２
2015012205.tif 000002
【特許請求の範囲】
【請求項１】
熱源による発熱を放散可能としたヒートシンク装置であって、熱源が配置されているケース体の外面にヒートシンク部を設け、該ヒートシンク部は、所定の角度に円弧状に屈曲した複数の板体の各面を横向きに順次並置して成る少なくとも３つの放熱用フィン群を有し、これら放熱用フィン群が、互いの円弧凸面側を相対向させるようにして対称配置することで当該ヒートシンク部の少なくとも３方向に熱源からの発熱を放散可能としたことを特徴とするヒートシンク装置。
【請求項２】
放熱用フィン群は、ヒートシンク部の中心に対して１２０°間隔で配列形成してある請求項１記載のヒートシンク装置。
【請求項３】
放熱用フィン群相互間には、ヒートシンク部の中心に連続する通気路を配設形成してある請求項１または２記載のヒートシンク装置。
【請求項４】
ケース体は、熱源が配置される底部と、底部の周囲を囲繞する周側壁部と、周側壁部の前面に配した前面開口部と、前記ヒートシンク部を設けた背面部とを有して成る椀状もしくは笠状に形成されている請求項１乃至３のいずれか記載のヒートシンク装置。
【請求項５】
背面部は、その断面形状がなだらかな凸形状に形成されている請求項１乃至４のいずれか記載のヒートシンク装置。
【発明の詳細な説明】
【技術分野】
【０００１】
本発明は、例えばＬＥＤ素子を使用した照明装置等の光源による発熱を滞留させることなく上昇案内して効率的に放散可能とし、発熱による照明作用の減退を防止して光源の照明効果を常時維持できるようにし、また照明装置に限らず、各種熱源による温度上昇を防止できるようにした汎用性あるヒートシンク装置に関する。
【背景技術】
【０００２】
近年、ＬＥＤ素子を使用した照明装置が多く開発されつつあるところ、このようなＬＥＤ素子利用の照明装置では、当該ＬＥＤ素子から発光した際に生じる熱による電流電圧特性から光量自身が左右されるものとなっている。こうしたことからＬＥＤ素子の発熱を危惧することなく定格電流を通電し、所望の照明効果が得られる照明装置が望まれるところである。
【０００３】
ところでＬＥＤ素子は、発光時の発熱により発光効率が低下するばかりでなく、ＬＥＤ素子自体の温度が高くなりすぎると壊れてしまう。しかも、ＬＥＤ素子の表面に設けられる封止樹脂も高熱に弱く、封止樹脂が劣化すると光透過度が落ちてしまう。また、ＬＥＤ素子はそれ単体では、発光した光が分散してしまうため、効率よく照明するには集光する必要がある。したがって、照明装置としてＬＥＤ素子を使用する際は、まずＬＥＤ素子の基板を固定する部分を設け、そして、発光時の発熱温度の上昇を下げるためのヒートシンクとしての放熱フィン及びＬＥＤ素子の光を集光するためのリフレクタがそれぞれ設けられる。
【０００４】
例えば、特許文献１に開示されているＬＥＤ照明器具は、これの一構成部品である板金製の器具本体が天井の開口部に装着し得るように下面が開口された筒状の形状に形成されている。この器具本体には天井の開口部の周縁に当接される化粧枠が着脱可能に設けられ、化粧枠は、ＬＥＤ照明ユニットとその上部空間との間を遮蔽する遮光板を兼ねた反射板と、この反射板の裏面に配設された複数の放熱フィンとが一体となるよう、放熱性の優れた合成樹脂やアルミニウムなどの金属材により形成されており、上面が基板に接合されている。すなわち、背面に放熱フィンが一体に形成された反射板および基板は、ＬＥＤ素子が発熱する熱が伝導されたときに、その熱を放熱するヒートシンクとしての機能を具備したものとなっている。
【０００５】
また、特許文献２に開示されている車載ＬＥＤランプ用のヒートシンクは、黒色塗料のプレコート処理が予め施された素材アルミニウム合金薄板をコルゲート加工（波形成形加工）することによって、放熱フィン形状として連続する波形形状に成形されたものとなっている。
【０００６】
また、特許文献３に開示されている車両用灯具は、光源としてのＬＥＤ素子と、ベース部上に立設された複数の平板状の放熱フィンと、放熱フィン間に形成された複数の通風路とを含み、ＬＥＤ素子から発生する熱を放熱するヒートシンクと、空気を吸い込む軸方向の吸気口と、軸方向と垂直な左右方向にそれぞれ排気する左側排気口および右側排気口とを有し、ヒートシンクの通風路に空気を流して放熱フィンを強制空冷する遠心ファンと、ＬＥＤ素子、ヒートシンク、遠心ファンそれぞれを収容する灯体とを備える。このように遠心ファンの左側排気口、右側排気口に少なくとも１つの通風路の入口が面するようにヒートシンクの平板状の放熱フィンを形成している。
【先行技術文献】
【特許文献】
【０００７】
【特許文献１】特開２００４−１７９０４８号公報
【特許文献２】特開２０１２−９４２８７号公報
【特許文献３】特開２０１０−３６２１号公報
【発明の概要】
【発明が解決しようとする課題】
【０００８】
しかしながら、上記した特許文献１乃至特許文献３に開示されているヒートシンクは一定の方向に放熱フィンが立っているため、当該放熱フィンの間を空気が流れることにより、熱をこもらせずに排熱することができ、しかも温められた空気は軽くなって上昇していくのであるが、放熱フィンに対して垂直方向に空気の流れがある場所では当該放熱フィンがその流れを邪魔して温められた空気を通さずに、放熱フィンの間に熱をこもらせてしまう。
【０００９】
そこで、本発明は叙上のような従来存した諸事情に鑑み創出されたもので、例えば照明装置における光源から発生する熱を、放熱用フィンの形状を円弧状に変更するだけで、照明装置の向きがどのような方向であっても放熱する空気の流れを上昇方向に案内させて、光源発光時の温められた空気を上方向に効率よく放散させることができ、また放熱用フィン相互間に生じた複数方向の通気路により通気性を良好となして光源による発熱温度の上昇を効率よく下げることができ、また照明装置のみならず、各種熱源の放熱構造として汎用性あるものとしたヒートシンク装置を提供することを目的とする。
【課題を解決するための手段】
【００１０】
上述した課題を解決するために、本発明にあっては、熱源２による発熱を放散可能としたヒートシンク装置であって、熱源２が配置されているケース体４の外面にヒートシンク部２１を設け、該ヒートシンク部２１は、所定の角度に円弧状に屈曲した複数の板体の各面を横向きに順次並置して成る少なくとも３つの放熱用フィン群２１Ａ，２１Ｂ，２１Ｃを有し、これら放熱用フィン群２１Ａ，２１Ｂ，２１Ｃが、互いの円弧凸面側を相対向させるようにして対称配置することで当該ヒートシンク部２１の少なくとも３方向に熱源２からの発熱を放散可能としたことを特徴とする。
放熱用フィン群２１Ａ，２１Ｂ，２１Ｃは、ヒートシンク部２１の中心に対して１２０°間隔で配列形成することができる。
放熱用フィン群２１Ａ，２１Ｂ，２１Ｃ相互間には、ヒートシンク部２１の中心に連続する通気路Ｌ１，Ｌ２，Ｌ３を配設形成することができる。
ケース体４は、熱源２が配置される底部７と、底部７の周囲を囲繞する周側壁部８と、周側壁部８の前面に配した前面開口部９と、前記ヒートシンク部２１を設けた背面部１０とを有して成る椀状もしくは笠状に形成されているものとすることができる。
背面部１０は、その縦断面形状がなだらかな凸形状に形成されているものとすることができる。
【００１１】
以上のように構成された本発明に係るヒートシンク装置にあって、熱源２が配されているケース体４の背面部１０に対称配置された少なくとも３つの放熱用フィン群２１Ａ，２１Ｂ，２１Ｃは、ヒートシンク部２１に対し例えば１２０°間隔の少なくとも３方向に通気路Ｌ１，Ｌ２，Ｌ３を形成させる。
これら３つの放熱用フィン群２１Ａ，２１Ｂ，２１Ｃによる３方向の通気路Ｌ１，Ｌ２，Ｌ３のうちの１つが上方に向けられている場合は、熱源２によって温められた空気がこの上方に向けられた１つの放熱用フィン群２１Ａ，２１Ｂ，２１Ｃのいずれかに沿って上昇させられることで、熱源２から発生する熱を放散させる。
一方、３つの放熱用フィン群２１Ａ，２１Ｂ，２１Ｃによる３方向の通気路Ｌ１，Ｌ２，Ｌ３のいずれも上方に向けられていない場合でも、通気路Ｌ１，Ｌ２，Ｌ３のうちのいずれか１つが常に上方に近い方向に向けられている状態となっている。このため、熱源２によって温められた空気が通気路Ｌ１，Ｌ２，Ｌ３のうちの上方に近い方向に向けられたいずれか１つに沿って上昇させられることで、熱源２の熱を放散させる。
また、３つの放熱用フィン群２１Ａ，２１Ｂ，２１Ｃの相互間に形成される３方向の通気路Ｌ１，Ｌ２，Ｌ３のうちの１つが上方に向けられている場合、例えば左側斜下の２つの放熱用フィン群２１Ｂ，２１Ｃの各板体相互間の隙間を外気が通り、一方の放熱用フィン群２１Ｂの板体相互間の隙間の上端側および他方の放熱用フィン群２１Ａ，２１Ｃの板体相互間の隙間の左右側斜下端それぞれから外部に抜けることで背面部１０の通気性を確保させる。
すなわち、３つの放熱用フィン群２１Ａ，２１Ｂ，２１Ｃの相互間に形成される３つの通気路Ｌ１，Ｌ２，Ｌ３のうちの１つ（Ｌ１）が上方に向けられている場合、例えば左側の一方の放熱用フィン群２１Ｂ及び右側の他方の放熱用フィン群２１Ａそれぞれの各板体相互間の隙間において、また左側の放熱用フィン部２１Ｂと下位の放熱用フィン群２１Ｃの左側上部との間及び右側の放熱用フィン群２１Ａと下位の放熱用フィン群２１Ｃの右側上部との間にあって、ヒートシンク部２１の中心に連結する通気路（Ｌ３，Ｌ２）においてそれぞれが下方から取り入れる空気を上方に案内して熱気を上昇させ、排出させる。
一方、３方向の通気路Ｌ１、Ｌ２、Ｌ３のうちの１つ（Ｌ３）が下方に向けられている場合、例えば左下の一方の放熱用フィン群２１Ｂ及び上位の放熱用フィン群２１Ａの左側それぞれにおける各板体相互の隙間において、右下の他方の放熱用フィン群２１Ｃ及び上位の放熱用フィン群２１Ａの右側それぞれにおける各板体相互間の隙間において、また左右側下の放熱用フィン群２１Ｂあるいは２１Ｃの上端側と、上位の放熱用フィン群２１Ａの左右下側との間にあってヒートシンク部２１の中心に連続する通気路（Ｌ１，Ｌ２）において、それぞれが下方から取り入れる空気を上方に案内して熱気を上昇させ、排出させる。
縦断面形状がなだらかな凸形状に形成されている背面部１０は、熱源２の固定面が上方に向けられ、ヒートシンク部２１が下方に向けられている場合であっても、熱源２によって温められた熱気がヒートシンク部２１における３つの放熱用フィン群２１Ａ，２１Ｂ，２１Ｃの各板体相互間を通り、上方に向けて放散させる。
【発明の効果】
【００１２】
本発明によれば、放熱用フィン群２１Ａ，２１Ｂ，２１Ｃの形状を円弧状に変更し、例えば照明装置における光源である熱源２からの熱を、この熱源２の配置姿勢にかかわらず、排熱方法を上昇向きとする排熱案内路が常時設定確保されることで、熱気を安定的に放散可能とすることができる。すなわち、例えば照明装置における投光・使用の向き等にかかわらず、発熱する光源から生じる発光時の温められた空気を上方向に効率よく、常時放散させることができる。このように排熱案内路を形成する放熱用フィン群２１Ａ，２１Ｂ，２１Ｃ相互間における通気性を良好となして光源たる熱源２による発熱温度の上昇を効率よく下げることができる。
【００１３】
すなわち、これは本発明に係るヒートシンク装置のヒートシンク部２１が、所定の角度に円弧状に屈曲した複数の板体の各面を横向きに順次並置して成る少なくとも３つの放熱用フィン群２１Ａ，２１Ｂ，２１Ｃを有し、これら放熱用フィン群２１Ａ，２１Ｂ，２１Ｃが、互いの円弧凸面側を相対向させるように対称配置することで当該ヒートシンク部２１の少なくとも３方向に熱源２からの発熱を放散可能としたからである。これにより、例えば光源である熱源２の温められた空気を効率よく周辺に放散させることができ、且つ発熱温度の上昇を効率よく下げることができる。特に、本発明に係るヒートシンク装置を、手で持って使用する小型のハンドランプに適用した場合には、ハンドランプの光源に関連して配したヒートシンク部２１自体が、被照射面がどの方向であってもこれに対応して、いずれの部位が上方向となるのかという決められた方向性によって使用されなくても、ハンドランプを例えば側方、下方、上方のいずれに向けても、温められた空気を効率よく周辺に放散させることができる。
【００１４】
ケース体４は、熱源２が配置される底部７と、底部７の周囲を囲繞する周側壁部８と、周側壁部８の前面に配した前面開口部９と、前記ヒートシンク部２１を設けた背面部１０とを有して成る椀状もしくは笠状に形成されているので、熱源２の熱を背面部１０側のヒートシンク部２１から確実に放散させることができる。このため、ケース体４内部に熱が滞留して、例えばこのケース体内部に配したＬＥＤ素子による光源の発光機能を損なわせてしまうのを未然に防止することができる。
【００１５】
背面部１０は、その縦断面形状がなだらかな凸形状に形成されているため、熱源２の固定面が上方に向けられ、ヒートシンク部２１が下方に向けられている場合でも、熱源２によって温められた熱気をヒートシンク部２１における３つの放熱用フィン群２１Ａ，２１Ｂ，２１Ｃの各板体相互間を通らせ、上方に向けて効率よく且つ確実に放散させることができる。
【００１６】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００１７】
【図１】本発明を実施するための一形態におけるヒートシンク装置を備えた携帯タイプの照明装置における使用状態を示す斜視図である。
【図２】同じく本発明のヒートシンク装置を、照明装置のケース体に実施した場合を示し、（ａ）は斜め前方側から視た斜視図、（ｂ）は斜め後方側から視た斜視図、（ｃ）は背面図、（ｄ）は側面図である。
【図３】ヒートシンク部における３つの放熱用フィン群による熱気の通気路の一例を概念的に示すもので、（ａ）は通気路が上方に向けられている状態の背面図、（ｂ）はいずれの通気路も上方に向けられていない状態の背面図である。
【図４】ヒートシンク部における３つの放熱用フィン群による空気取り込み状態の一例を概念的に示すもので、（ａ）は左斜方向の通気路から上方向および右斜方向に空気が流れている状態の背面図、（ｂ）はヒートシンク部が下方に向けられている場合の熱気の通気状態を示す側面図である。
【図５】照明装置のケース体の背面側にグリップおよび引っ掛け具を取り付けた状態を示す背面側斜視図である。
【図６】本発明のヒートシンク装置を下方に配して投光器として使用した場合の照明装置の斜視図である。
【図７】本発明のヒートシンク装置を側方に配して投光器として使用した他の場合の照明装置の斜視図である。
【発明を実施するための形態】
【００１８】
以下、図面を参照して本発明の実施の一形態を詳細に説明すると、本実施の形態の説明にあっては、本発明に係るヒートシンク装置を、例えばＬＥＤ素子を光源とする照明装置１に実施した場合として図示されるが、このように照明装置１に実施される場合に限るものではない。本実施の形態では、例えば図１に示すように充電可能な二次電池を内蔵した携帯型の照明装置１における光源である熱源２の放熱構造として設けられており、スイッチＳＷによって点灯された光源から発熱される熱気をヒートシンク部２１によって放熱するようになっている。
【００１９】
図示の照明装置１は、例えばＬＥＤ素子等の光源が内装され、該光源から発する光を、前面に配したレンズ３を通して外方へ発散させるための例えばプラスチック材、アルミニウム材等によって形成されたケース体４と、ケース体４自身の向きが任意の方向に変えられるように当該ケース体４に対し後述するヒンジ軸５１を介して接続されたグリップ部５とから概ね構成されている。なお、照明装置１においては、光源としてＬＥＤ素子が使用されているが、これに限らず、フィラメント式の電球等であっても良く、照明装置１自体は電源ケーブルに接続されるものであっても良い。
【００２０】
ケース体４は、図２に示すように、外部に本発明に係るヒートシンク装置であるヒートシンク部２１が設けられていて、例えば椀状もしくは笠状に形成されており、その底部７は、ＬＥＤ素子の光源が配置可能となるよう平坦状に形成されている。また、ケース体４の周側壁部８は、底部７の周囲を囲繞するよう底部７からラッパ状に外方傾斜しており、周側壁部８の前面開口部９側には、例えばプラスチック製のフレネルレンズ等を使用したレンズ３が装着されるものとなっている。
【００２１】
ケース体４の背面部１０は、その縦断面形状がなだらかな例えば台形状もしくは円弧状等の凸形状となっており、その中央には軸部２２を設け且つその周囲には円弧フィン形状の多数の板体を備えたヒートシンク部２１を設けてある。ヒートシンク部２１は、ＬＥＤ素子による光源である場合の短所である発熱による障害を解決するため、例えば熱伝導性が良く且つ軽量なアルミニウム製材等のものを採用し、温度上昇を軽減する。また、ヒートシンク部２１は、照明装置１が様々な使われ方をすることを想定し、縦置きあるいは横置きであるとを問わず、なるべく通気しやすいように工夫した形状となるように適宜の手法でダイカスト成形されており、図例にあっては、ケース体４と一体のものとして成形されている。
【００２２】
ケース体４の背面部１０に設けられるヒートシンク部２１は、例えばヒートシンク部２１の中央において、１２０°の角度に円弧状に屈曲した複数の板体の各面を横向きに順次並置して成る３つの放熱用フィン群２１Ａ，２１Ｂ，２１Ｃを、互いの円弧凸面側を相対向させるよう背面部１０の中央の軸部２２を回転対称軸としてその廻りで１２０°間隔ごとに配置することで形成されている。こうすることで当該軸部２２を中心として１２０°の角度方向の３方向に熱源２からの発熱を放散可能とする３つの通気路Ｌ１，Ｌ２，Ｌ３が、背面部１０の中心を通るようにして放熱用フィン群２１Ａ，２１Ｂ，２１Ｃの相互間にも形成される。
【００２３】
なお、本実施形態では、屈曲角度１２０°の３つの放熱用フィン群２１Ａ，２１Ｂ，２１Ｃにより、熱源２からの発熱を３方向に放散可能としているが、これに限らず、屈曲角度４５°の８つの放熱用フィン群２１Ａ，２１Ｂ，２１Ｃ，・・・により、熱源２からの発熱を８方向に放散可能としたり、屈曲角度６０°の６つの放熱用フィン群２１Ａ，２１Ｂ，２１Ｃ，・・・により、熱源２からの発熱を６方向に放散可能としたり、屈曲角度９０°の４つの放熱用フィン群２１Ａ，２１Ｂ，２１Ｃ，・・・により、熱源２からの発熱を４方向に放散可能としたり等、様々な配置態様が可能である。また、放熱用フィン群２１Ａ，２１Ｂ，２１Ｃの相互間では、等間隔で配列されることに限定されず、例えば３方向である場合に１つは１４０°として、他の２つは１１０°とすることもでき、放熱用フィン群２１Ａ，２１Ｂ，２１Ｃ，・・・がヒートシンク部２１の中心に対し必ずしも対称的に配置される場合に限らず、多数の放熱用フィン群２１Ａ，２１Ｂ，２１Ｃ，・・・の中心がヒートシンク部２１の中心と合致しないものとして配置形成されることもある。
【００２４】
次に、ヒートシンク部２１における３つの放熱用フィン群２１Ａ，２１Ｂ，２１Ｃによる熱気の通気状態および空気取り込み状態の一例について説明する。図３（ａ）に示すように、３つの放熱用フィン群２１Ａ，２１Ｂ，２１Ｃによる３方向の通気路Ｌ１，Ｌ２，Ｌ３のうちの１つの通気路Ｌ１が上方に向けられている場合は、熱源２によって温められた空気は上方に向けられた通気路Ｌ１に沿って効率よく上昇してゆく。
【００２５】
一方、図３（ｂ）に示すように、３つの放熱用フィン群２１Ａ，２１Ｂ，２１Ｃによる３方向の通気路Ｌ１，Ｌ２，Ｌ３のいずれも上方に向けられていない場合であっても、通気路Ｌ１，Ｌ２，Ｌ３のうちのいずれか１つの例えば通気路Ｌ１は常に上方に近い方向に向けられている状態となっている。このため、熱源２によって温められた空気は上方に近い方向に向けられた通気路Ｌ１（Ｌ２，Ｌ３）に沿って効率よく上昇してゆく。
【００２６】
通気性に関しては、図４（ａ）に示すように、３つの放熱用フィン群２１Ａ，２１Ｂ，２１Ｃによる３方向の通気路Ｌ１，Ｌ２，Ｌ３のうちの１つの通気路Ｌ１が上方に向けられている場合、例えば左側斜下の通気路Ｌ３を挟む２つの放熱用フィン群２１Ｂ，２１Ｃの各板体相互間の隙間を外気が通り、一方の放熱用フィン群２１Ｂの板体相互間の隙間の上端側および他方の放熱用フィン群２１Ｃの板体相互間の隙間の右側斜下端それぞれから外部に抜ける。
【００２７】
図４（ｂ）に示すように、熱源である熱源２の固定面が上方に向けられ、ヒートシンク部２１が下方に向けられている場合、背面部１０のなだらかな凸形状によって、熱源２によって温められた熱気はヒートシンク部２１における３つの放熱用フィン群２１Ａ，２１Ｂ，２１Ｃの各板体相互間を通り上方に抜ける。
【００２８】
こうすることで、ヒートシンク部２１が設けられている例えば照明装置１において、この照明装置１を配置したとき、それが縦置きあるいは横置きのいずれの場合を問わず、どのような方向に向けて設置されても温められた空気が上昇しやすいものとなる。また、照明装置１の設置した方向によらず、温められた空気は上に抜けやすくなり、通気に関しても方向によらずに空気を取り込みやすく、さらに通りやすくなる。
【００２９】
なお、図示を省略したが、放熱用フィン群２１Ａ，２１Ｂ，２１Ｃそれぞれにおいて、所定の角度で円弧状に屈曲している板体例えばその屈曲部分に、板体相互間に形成されている隙間相互間を連通させる例えば溝状、孔状等の連通部を切欠形成することもできる。こうすることで、放熱用フィン群２１Ａ，２１Ｂ，２１Ｃそれぞれにおける例えば板体の屈曲部が上方位となるように使用配置されても、板体の隙間で案内される熱気を滞留させることなく上昇させ、いずれかの通気路Ｌ１，Ｌ２，Ｌ３あるいは他の放熱用フィン群２１Ａ，２１Ｂ，２１Ｃの板体相互間内を経て外部に排熱させることができる。
【００３０】
また、照明装置１の背面部１０におけるヒートシンク部２１の前記軸部２２には、照明装置１を磁気力によって金属製の壁面その他に吸着保持させるためのマグネット収容部３１を設けてある。すなわち、マグネット収容部３１は、軸部２２を含む各放熱用フィン群２１Ａ，２１Ｂ，２１Ｃの中央屈曲部を底部７側へ向けて凹状に窪ませてマグネット３２が当該軸部２２の先端に装着可能として成る。
【００３１】
また、前記グリップ部５は、図２、図５に示すように、前記背面部１０におけるヒートシンク部２１の２つの放熱用フィン群２１Ａ，２１Ｂ，２１Ｃの相隣接する各内側の板体の一部を残して各外側の板体を底部７側に窪ませ、各内側の相対向する板体同士に形成されている嵌合孔５３に嵌挿させたヒンジ軸５１の両端が、グリップ部５の先端に形成されているコ字形の保持枠部５２の両端側にそれぞれ屈曲自在となって固定されて成る。これによって、グリップ部５を把持したままケース体４の前面レンズ３側の向きが自在に変えられるものとしてある。
【００３２】
また、前記背面部１０におけるヒートシンク部２１の一端に配したグリップ部５に対向してヒートシンク部２１の他端外縁側には、照明装置１自体を壁のフック部等に引っ掛け吊持しておくための略コ字枠状の引っ掛け具４１を取付けてある。例えば、図５に示すように、ヒートシンク部２１の２つの放熱用フィン群２１Ｂ，２１Ｃの相隣接する板体箇所に配したグリップ５の取付位置に対向する他の１つの放熱用フィン群２１Ａの位置する背面部１０の上面に左右一対の取付孔４２Ａ，４２Ｂを設け、略コ字枠状の引っ掛け具４１のコ字枠の両先端にＬ字型に屈曲された各Ｌ字先端部分がそれぞれの取付孔４２Ａ，４２Ｂに嵌着されている。
【００３３】
次に、以上のように構成された形態について、ヒートシンク部２１が設けられた照明装置１の使用の一例について説明すると、例えば引っ掛け具４１によって照明装置１を所定のスタンドのフック部に引っ掛けた状態でライトスタンドとして使用する。この場合、図５に示すように、３つの放熱用フィン群２１Ａ，２１Ｂ，２１Ｃによる３方向の通気路Ｌ１，Ｌ２，Ｌ３のいずれも上方に向けられていなくても、通気路Ｌ１，Ｌ２，Ｌ３のうちのいずれか２つの例えば通気路Ｌ１および通気路Ｌ２は上方に近い方向に向けられている状態となっている。このため、熱源２によって温められた空気は上方に近い方向に向けられた通気路Ｌ１および通気路Ｌ２に沿って効率よく上昇してゆく。
【００３４】
図６に示すように、グリップ５と引っ掛け具４１とによって照明装置１を床面上に載置した状態で投光器として使用することもでき、例えば光源である熱源２の固定面が斜め上方に向けられ、ヒートシンク部２１が斜め下方に向けられている。この場合、背面部１０の縦断面形状がなだらかな凸形状となっていることと相俟ち、熱源２によって温められた熱気はヒートシンク部２１における３つの放熱用フィン群２１Ａ，２１Ｂ，２１Ｃによって挟まれた３つの通気路Ｌ１，Ｌ２，Ｌ３のうち引っ掛け具４１側の左右２つの通気路Ｌ１，Ｌ２をスムーズに通り抜け、熱気は上方に向けて確実に散逸する。
【００３５】
図７に示すように、照明装置１を床面上に起立保持させた状態で投光器として使用することもできる。この場合、背面部１０の縦断面形状がなだらかな凸形状となっていることと相俟ち、熱源２によって温められた熱気はヒートシンク部２１における３つの放熱用フィン群２１Ａ，２１Ｂ，２１Ｃのうちヒンジ軸５１側の２つの放熱用フィン群２１Ｂ，２１Ｃ相互間の通気路Ｌ３をスムーズに通り抜け、熱気は上方に向けて確実に散逸する。
【産業上の利用可能性】
【００３６】
なお、本実施形態におけるヒートシンク部２１は、照明装置１の光源である熱源２の発熱による照明効果の低減を阻止する以外に、例えばモータ等の駆動源やその他摩擦熱が生じる摺接機構等による熱溜りを防止する等の種々の発熱源のヒートシンクとしても応用可能である。
【符号の説明】
【００３７】
ＳＷ…スイッチ                          Ｌ１，Ｌ２，Ｌ３…通気路
１…照明装置                            ２…熱源
３…レンズ                              ４…ケース体
５…グリップ部                          ７…底部
８…周側壁部                            ９…前面開口部
１０…背面部
２１…ヒートシンク部                    ２１Ａ，２１Ｂ，２１Ｃ…放熱用フィン群
２２…軸部
３１…マグネット収容部                  ３２…マグネット
４１…引っ掛け具                        ４２Ａ，４２Ｂ…取付孔
５１…ヒンジ軸                          ５２…保持枠部
５３…嵌合孔
【図１】
2015012205.tif 000003
【図２】
2015012205.tif 000004
【図３】
2015012205.tif 000005
【図４】
2015012205.tif 000006
【図５】
2015012205.tif 000007
【図６】
2015012205.tif 000008
【図７】
2015012205.tif 000009